(57)【特許請求の範囲】
【請求項１】
複数のケースを組み合わせてなる筐体を有し、カメラ取り付け用ブラケットを取り付けるためのブラケット取り付け用ねじ穴が前記筐体の前記複数のケースの組み合せ境界位置に設けられ、前記ブラケット取り付け用ねじ穴にかかる応力負荷による前記筐体の分解を抑制する係合部材が設けられ、該係合部材の一端に設けられた係合穴が前記複数のケースの一つに設けられた爪に係合され、前記係合部材の他端が前記一つのケースと組み合わせられた他方のケースに固定され、前記ブラケット取り付け用ねじ穴は、前記筐体の内面側に設置されたブラケット取り付け用部材に形成され、前記筐体から前記ブラケット取り付け用部材の前記ブラケット取り付け用ねじ穴が露出する開口であって適宜閉塞可能な開口が設けられたストロボ装置であって、
前記ブラケット取り付け用部材と前記筐体の内面との間には、前記一つのケースに設けられた前記爪と前記係合部材との係合を解除するための工具を挿通させることができる隙間が設けられていることを特徴とするストロボ装置。
【請求項２】
前記係合部材は前記隙間に臨む端部が前記筐体の内側方向に屈曲していることを特徴とする請求項１に記載のストロボ装置。
【発明の詳細な説明】
【技術分野】
【０００１】
本発明は、ストロボ装置に関し、特に、ブラケットを介してカメラに取り付け可能に構成された単体のストロボ装置に関する。
【背景技術】
【０００２】
従来のストロボ装置は、図８に示すように、発光部３１を備える発光部筐体３２と、この発光部筐体３２を支える支持筐体３５とを備え、支持筐体３５の下面にねじ穴３３を有する。このようなストロボ装置３０は、支持筐体３５の下面のねじ穴３３にブラケット３９の一部を取り付け、ブラケット３９の他部をカメラ４２下面の三脚取り付け用ねじ穴４３に取り付けることにより、カメラ４２に取り付けられるようになっている。発光部筐体３２は、適宜、支持筐体３５に対して上下左右に照射角度が変更可能に支持される（例えば、特許文献１参照）。
【０００３】
ところで、図９に示すように、ストロボ装置３０の下部にカメラ４２への取り付け及び接続のためのアクセサリシュー３８が設けられている場合、カメラ４２への取り付けは、支持筐体３５の側面のブラケット取り付け用ねじ穴４０に上記ブラケット３９を取り付けて行う。この場合、アクセサリシュー３８は別途ケーブル（不図示）にてカメラ４２に接続される。ブラケット取り付け用ねじ穴４０は、ストロボ装置３０を支え、かつ落下等による衝撃にもある程度耐えるだけの強度が要求されるため、金属の切削品で単体のブラケット用ねじ穴体４４（以下、「ねじ穴体」という。）として成型され、ストロボ装置３０の支持筐体３５に一体的に埋め込まれている。ブラケット用ねじ穴４０は、非使用時は蓋で覆われ、使用時には蓋を外して使用するようになっている。
【０００４】
この構成では、落下等なんらかの衝撃が加わると、ねじ穴体４４の周辺に集中的に応力負荷がかかり、ねじ穴体４４そのものは強固に埋め込まれていても、ねじ穴体４４を一体的に支持する支持筐体３５はモールド製の２ピース構造のため、支持筐体３５が撓んで、２ピースの筐体が外れて分解するおそれがある。そこで、ねじ穴体４４の付近において、２ピースの筐体の境界位置に係合金具（不図示）を設けて、筐体側に設けた爪（不図示）に係合させて、筐体が容易に分解しないようにしている。
【特許文献１】実開平７−１６９２９号公報
【発明の開示】
【発明が解決しようとする課題】
【０００５】
しかしながら、このような係合金具を設けると、修理などのために筐体を分解する必要が生じた場合、係合金具と筐体側の爪との係合を解除するのが非常に困難となり、メンテナンス性に欠けるという問題があった。
【０００６】
かかる修理等に対応するには、筐体に穴を設けてそこから工具を挿通して係合金具を操作して筐体を分解することが考えられるが、工具の挿通に対応するには相当に大きな穴を設ける必要があり、外観上好ましくない。この穴を適宜開閉可能な蓋で覆うようにしても、一般ユーザーにとって基本的に必要のない修理・補修用としての穴をわざわざこのように設けることも好ましくない。
【０００７】
本発明の目的は、ストロボ装置の筐体を固定する係合金具の係合解除に対応しつつ、かかる係合解除のための工具を挿通する穴を目立たないよう処理したストロボ装置を提供することにある。
【課題を解決するための手段】
【０００８】
上記目的を達成するために、本発明は、複数のケースを組み合わせてなる筐体を有し、カメラ取り付け用ブラケットを取り付けるためのブラケット取り付け用ねじ穴が前記筐体の前記複数のケースの組み合せ境界位置に設けられ、前記ブラケット取り付け用ねじ穴にかかる応力負荷による前記筐体の分解を抑制する係合部材が設けられ、該係合部材の一端に設けられた係合穴が前記複数のケースの一つに設けられた爪に係合され、前記係合部材の他端が前記一つのケースと組み合わせられた他方のケースに固定され、前記ブラケット取り付け用ねじ穴は、前記筐体の内面側に設置されたブラケット取り付け用部材に形成され、前記筐体から前記ブラケット取り付け用部材の前記ブラケット取り付け用ねじ穴が露出する開口であって適宜閉塞可能な開口が設けられたストロボ装置であって、前記ブラケット取り付け用部材と前記筐体の内面との間には、前記一つのケースに設けられた前記爪と前記係合部材との係合を解除するための工具を挿通させることができる隙間が設けられていることを特徴とする。
【０００９】
このようにすれば、ブラケット取り付け用部材とストロボ筐体の内面との間に隙間を設けているので、ブラケット取り付け用部材が露出する開口からこの隙間に、例えば先の尖った工具を挿通させることにより工具を係合部材と筐体内面との間に入り込ませ、係合部材を押し下げ、係合部材とケースの爪との係合を解除することができる。そして、開口は適宜蓋などで閉塞することができるので、ブラケットを使用しないときには外観上、工具挿通のための隙間が見えない状態となる。したがって、本発明によれば、ストロボ装置の筐体を固定する係合部材の係合解除に対応しつつ、かかる係合解除のための工具を挿通する穴をうまく処理したストロボ装置を提供することができる。
【００１０】
また、前記係合部材は前記隙間に臨む側が前記筐体の内側方向に屈曲していることが好ましい。この場合、係合部材の係合解除のための工具が係合部材と筐体内面のと間に入り込みやすくなるため、スムーズな係合解除が可能になる。
【発明の効果】
【００１１】
以上のように、本発明のストロボ装置によれば、ブラケット取り付け用部材とストロボ筐体の内面との間に、ケースに設けられた爪と係合部材との係合を解除するための工具を挿通させることができる隙間を設けているので、ブラケット取り付け用部材が露出する開口からこの隙間に、工具を挿通させることにより工具を係合部材と筐体内面との間に入り込ませ、係合部材を押し下げ、係合部材とケースの爪との係合を解除することができる。そして、開口は適宜蓋などで閉塞することができるので、ブラケットを使用しないときには外観上、工具挿通のための隙間が見えない状態となる。したがって、本発明によれば、ストロボ装置の筐体を固定する係合部材の係合解除に対応しつつ、かかる係合解除のための工具を挿通する穴をうまく処理したストロボ装置を提供することができる。
【発明を実施するための最良の形態】
【００１２】
本発明の実施の形態について、図１から図７を用いて説明する。
【００１３】
本実施の形態に係るストロボ装置は、図１に示すように、発光部１を備える発光部筐体２と、この発光部筐体をヒンジ３，４を介して支える支持筐体５とで構成される。
【００１４】
発光部筐体２は、ヒンジ３により上下方向の照射角度を、ヒンジ４により左右方向の照射角度を、それぞれ変更可能になっている。発光部筐体２の照射角度の変更は、支持筐体５がカメラに固定された状態で発光部筐体２を手で掴んで手動にて行う。
【００１５】
支持筐体５は、前ケース６と後ケース７とを組み合わせて構成された２ピース構造であり、黒いモールドからなる。
【００１６】
支持筐体５の下部には、特定のカメラへの取り付け及び電気的接続が可能な専用アクセサリシュー８が設けられているが、このアクセサリシュー８に対応していないカメラに取
り付ける場合、又はカメラの横方向からストロボ光を照射したい場合などには、図２に示すように、ブラケット９を介してカメラに取り付けるが、この場合、支持筐体５の側面に設けられたブラケット取り付け用ねじ穴１０（以下、単に「ねじ穴１０」という。）に固定ねじ１１を用いてブラケット９の一部を取り付け、他部をカメラ１２の下面のカメラ取り付け用ねじ穴１３に固定ねじ１４を用いて取り付ける。なお、アクセサリシュー８は、図示しないケーブルにてカメラに接続される。
【００１７】
ここで、落下等なんらかの衝撃が加わると、ねじ穴１０に集中的に応力負荷がかかり、その周辺の支持筐体５にねじれの力がかかるが、支持筐体５は柔軟なモールド製のため、撓んで前ケース６と後ケース７との組み付けが外れるおそれがある。そこで、図３に示すように、ねじ穴１０の付近において、前ケース６と後ケース７との境界位置に係合部材としての係合金具１５を設けて、前ケース６の内側に設けた爪１６に係合させて、筐体５が容易に外れないようにしている。
【００１８】
係合金具１５は、図６に示すように、一端には、前ケース６の爪１６に係合する係合穴１８が設けられて、図示しない他端が後ケース７の内側にビスにてビス止めされている。前ケース６と後ケース７とを組み付けた状態から容易に解除されないよう、係合金具１５は爪１６に係合する方向にやや付勢ぎみに構成している。
【００１９】
本実施の形態では、ねじ穴１０の設置構造を工夫している。すなわち、ねじ穴１０は、図４に示すように、厚さ約１．５ｍｍ程度のＳＵＳ４３０からなる略長方形形状の金属板からなるブラケット取り付け用部材としてのブラケット取り付け用金具１９（以下「ブラケット金具１９」という。）にタップを立てて形成しており、ブラケット金具１９ごと支持筐体５の内側に固定している。
【００２０】
支持筐体５の一側面の下端には開口２０が設けられる。開口２０はブラケット金具１９の大きさよりも小さく、かつブラケット金具１９のねじ穴１０よりも大きく形成され、この開口２０からねじ穴１０が全部露出するようにブラケット金具１９が支持筐体５の内側から設置される。支持筐体５の内面ではこのブラケット金具１９を囲ってブラケット金具１９を位置決めしている。
【００２１】
開口２０は、前ケース６と後ケース７との境界にまたがって設けられており、支持筐体５の組み付け時、後ケース７側にブラケット金具１９を一端ルーズフィットで設置したあと前ケース６を組み付けることで容易に金具を設置できるようにしている。
【００２２】
そして、図５に示すように、支持筐体５の内面とブラケット金具１９の露出側面との間に所定の隙間２１が確保されている。
【００２３】
一方、係合金具１５は、ブラケット金具１９の設置位置寄り側に、支持筐体５の内側方向に反り返るように設けられた引っかかり部２２を備えており、前記ブラケット金具１９と支持筐体５との隙間から先端の尖った工具２３を挿通させると、この引っかかり部２２と支持筐体５の内面との間に工具２３が入り込み、係合金具１５を押し下げ、支持筐体５の爪６との係合が解除されるようになっている。
【００２４】
なお、支持筐体５の開口２０は、ブラケット９非装着時には支持筐体５の外面と面一となる蓋２４で覆われる。
【００２５】
以上の構成によれば、ブラケット金具１９とストロボ支持筐体５の内面との間に隙間２１を設けており、この隙間２１に係合金具１５の係合穴１８が接近するように係合金具１５が設置されているので、ブラケット金具１９が露出する開口２０からこの隙間に工具２３を挿通させることにより工具２３を係合金具１５と筐体内面との間に入り込ませ、係合金具１５を押し下げ、係合金具１５とケース６の爪１６との係合を解除することができる。そして、開口２０は蓋２４で閉塞することができるので、ブラケット９を使用しないときには外観上、工具２３を挿通するための隙間２１が見えない状態となる。すなわち、本実施の形態のストロボ装置によれば、支持筐体５を固定する係合金具１５の係合解除に対応しつつ、かかる係合解除のための工具を挿通する穴を外観上うまく処理することができる。
【００２６】
なお、本発明はもちろん、上述した実施の形態に限定されるものではなく、その他、あらゆる用途に適用可能である。
【産業上の利用可能性】
【００２７】
本発明は、ストロボ装置、特にブラケットを介してカメラに取り付け可能に構成された単体のストロボ装置として好適である。
【図面の簡単な説明】
【００２８】
【図１】本発明の実施の形態に係るストロボ装置を示す全体斜視図である。
【図２】図１のストロボ装置のブラケット取り付け状態を示す正面図である。
【図３】図１のストロボ装置の要部拡大斜視図である。
【図４】図１のストロボ装置のブラケット取り付け用金具を示す斜視図である。
【図５】図１のストロボ装置の要部拡大斜視図である。
【図６】図１のストロボ装置の係合金具の拡大断面図である。
【図７】図１のストロボ装置の要部拡大断面図である。
【図８】従来のストロボ装置のブラケット取り付け状態を示す正面図である。
【図９】図８のストロボ装置のブラケット取り付け状態を示す他の正面図である。
【符号の説明】
【００２９】
１  発光部
２  発光部筐体
３，４  ヒンジ
５  支持筐体
６  前ケース
７  後ケース
８  アクセサリシュー
９  ブラケット
１０  ブラケット取り付け用ねじ穴
１１  固定ねじ
１２  カメラ
１３  カメラ取り付け用ねじ穴
１４  固定ねじ
１５  係合金具
１６  爪
１８  係合穴
１９  ブラケット取り付け用金具
２０  開口
２１  隙間
２２  引っかかり部
２３  工具
２４  蓋
【図１】
0004680002.tif 000002
【図２】
0004680002.tif 000003
【図３】
0004680002.tif 000004
【図４】
0004680002.tif 000005
【図５】
0004680002.tif 000006
【図６】
0004680002.tif 000007
【図７】
0004680002.tif 000008
【図８】
0004680002.tif 000009
【図９】
0004680002.tif 000010